(57)【要約】【課題】継手ユニットを容易に形成できるようにする。【解決手段】治具１０は、本体１の一方の面１ａと他方の面１ｂとを露出させ本体１が収容される第１の収容部１２を有する第１のブロック１１と、第１の収容部１２に収容された本体１の雌ねじ３に雄ねじ７を螺合させた継手５が収容される第２の収容部１６を有する第２のブロック１５とを備え、第１のブロック１１の第１の収容部１２に収容された本体１の一方の面１ａに継手５を取り付けた後、第１のブロック１１の上に第２のブロック１５を重ねて、治具１０の上下を反転させ、第１の収容部１２に収容された本体１の他方の面１ｂに継手５を取り付けるように構成したため、第２のブロック１５から第１のブロック１１を離間させるだけで、複数の継手ユニット９を容易に形成することができる。【選択図】図１
2018059570.tif 000002
【特許請求の範囲】
【請求項１】
矩形の一方の面と他方の面とを貫通する貫通孔を有し該貫通孔の両端に雌ねじが形成された本体と、該本体の該雌ねじに螺合する雄ねじを有し配管を接続可能とする継手とからなる継手ユニットを形成する治具であって、
該一方の面と該他方の面とを露出させ該本体が収容される第１の収容部を有する第１のブロックと、
該第１の収容部に収容された該本体の該雌ねじに該雄ねじを螺合させた該継手が収容される第２の収容部を有する第２のブロックと、を備え、
該第１の収容部に収容された該本体の該一方の面の該雌ねじに該雄ねじを螺合させた該継手が該第２の収容部に収容され該第１のブロックの上に該第２のブロックを重ねた状態で上下を反転させ、該第１のブロックの該第１の収容部に収容される該本体の該他方の面を露出させ、該本体の該雌ねじに該継手の該雄ねじを螺合させて該継手ユニットが形成される治具。
【発明の詳細な説明】
【技術分野】
【０００１】
本発明は、継手ユニットを形成するための治具に関する。
【背景技術】
【０００２】
ユニバーサルジョイントやユニオンティー、ユニオンクロスなどの分岐継手（継手ユニット）は、例えば、一端に配管が接続され他端に雄ねじを有する継手と、継手の雄ねじに螺合する雌ねじを有する本体と、継手を介して本体に接続される配管とにより少なくとも構成されている（例えば、下記の特許文献１を参照）。このように、分岐継手は、継手と本体とを別部品に分けて構成しており、配管の内径に応じて継手の一端のサイズを変更できるようにしている。
【０００３】
継手ユニットを形成する際には、例えば、本体をバイスなどの作業台に固定して継手の雄ねじを本体の雌ねじに螺入させてから、スパナや六角レンチなどを用いて継手を回して、継手の雄ねじを本体の雌ねじに螺合させて固定している。
【先行技術文献】
【特許文献】
【０００４】
【特許文献１】特開２０１４−２５５７６号公報
【発明の概要】
【発明が解決しようとする課題】
【０００５】
しかし、複数の継手ユニットを形成する場合には、本体をバイスに対して固定したり外したりするのを繰り返す作業が多くなるため、面倒である。また、例えば本体の上下の両側に継手をそれぞれ固定する場合は、１つの継手を本体に固定した後、バイスから本体を外して、本体の上下を反転させてから、再度バイスに本体を固定する必要があり、作業効率が悪いという問題がある。
【０００６】
本発明は、上記の事情に鑑みてなされたものであり、継手ユニットを容易に形成できるようにすることを目的としている。
【課題を解決するための手段】
【０００７】
本発明は、矩形の一方の面と他方の面とを貫通する貫通孔を有し該貫通孔の両端に雌ねじが形成された本体と、該本体の該雌ねじに螺合する雄ねじを有し配管を接続可能とする継手とからなる継手ユニットを形成する治具であって、該一方の面と該他方の面とを露出させ該本体が収容される第１の収容部を有する第１のブロックと、該第１の収容部に収容された該本体の該雌ねじに該雄ねじを螺合させた該継手が収容される第２の収容部を有する第２のブロックと、を備え、該第１の収容部に収容された該本体の該一方の面の該雌ねじに該雄ねじを螺合させた該継手が該第２の収容部に収容され該第１のブロックの上に該第２のブロックを重ねた状態で上下を反転させ、該第１のブロックの該第１の収容部に収容される該本体の該他方の面を露出させ、該本体の該雌ねじに該継手の該雄ねじを螺合させて該継手ユニットが形成される。
【発明の効果】
【０００８】
本発明にかかる治具は、一方の面と他方の面とを露出させ本体が収容される第１の収容部を有する第１のブロックと、第１の収容部に収容された本体の雌ねじに雄ねじを螺合させた状態の継手が収容される第２の収容部を有する第２のブロックとを備え、第１のブロックの第１の収容部に収容された本体の一方の面に継手を取り付けた後、第１のブロックの上に第２のブロックを重ねた状態で上下を反転させ、第１のブロックの第１の収容部に収容される本体の他方の面を露出させてから、この他方の面に継手を取り付けるように構成したため、第２のブロックから第１のブロックを離間させるだけで、複数の継手ユニットを形成することができる。これにより、作業者が本体に触ることなく、本体の一方の面及び他方の面に継手を取り付けることが可能となり、容易に複数の継手ユニットを取得することができ、作業効率が向上する。
【図面の簡単な説明】
【０００９】
【図１】本体及び継手の構成を示すとともに、治具の第１例の構成を示す分解斜視図である。
【図２】第１例において、第１のブロックの第１の収容部に本体を収容する状態を示す斜視図である。
【図３】第１例において、第１の収容部に収容された本体の一方の面に継手を取り付ける状態を示す斜視図である。
【図４】第１例において、第１のブロックの上に第２のブロックを重ねた状態の治具を示す斜視図である。
【図５】図４の治具を上下に反転させ、第１の収容部に収容された本体の他方の面に継手を取り付ける状態を示す斜視図である。
【図６】第１例によって形成された継手ユニットを示す斜視図である。
【図７】治具の第２例の構成を示す分解斜視図である。
【図８】第２例において、第１のブロックの第１の収容部に本体を収容する状態を示す斜視図である。
【図９】第２例において、第１の収容部に収容された本体の一方の面に継手を取り付ける状態を示す斜視図である。
【図１０】第２例において、第１のブロックの上に第２のブロックを重ねた状態の治具を示す斜視図である。
【図１１】図１０の治具を上下に反転させ、第１の収容部に収容された本体の他方の面に継手を取り付ける状態を示す斜視図である。
【図１２】第２例によって形成された継手ユニットを示す斜視図である。
【発明を実施するための形態】
【００１０】
１  第１の実施形態
図１に示す治具１０は、矩形状の本体１と、本体１に配管を接続するための継手５とからなる継手ユニットを形成する治具の第１例である。本体１の中央には、矩形の一方の面１ａと他方の面１ｂとを貫通する貫通孔２が形成されている。貫通孔２の両端には雌ねじ３が形成されている。また、本体１の一方の側面１ｃから他方の側面１ｄにかけて貫通した図示しないボルト挿入口が形成されており、このボルト挿入口にボルト４が挿入されて他方の側面１ｄ側からボルト４の雄ねじが突出している。継手５は、例えば六角柱形状の頭部６と、頭部６の一端に形成され本体１の雌ねじ３に螺合する雄ねじ７と、頭部６の他端に形成され配管を接続可能とする接続口８とを有している。
【００１１】
治具１０は、一方の面１ａと他方の面１ｂとを露出させ本体１が収容される第１の収容部１２を有する第１のブロック１１と、第１の収容部１２に収容された本体１の雌ねじ３に雄ねじ７を螺合させた継手５が収容される第２の収容部１６を有する第２のブロック１５とを備えており、第１のブロック１１の上に第２のブロック１５を重ねて使用される構成となっている。
【００１２】
第１のブロック１１には、例えば３つの第１の収容部１２が整列して形成されている。第１の収容部１２は、第１のブロック１１の第１面１１ａから第２面１１ｂにかけて貫通し、第１の収容部１２の前方側は開口している。かかる第１の収容部１２は、少なくとも本体１よりも大きい幅を有している。第１の収容部１２の内壁１２０の下部には、本体１を第１の収容部１２に固定するためのストッパ１３が配設されている。また、第１の収容部１２の内壁１２１には、第１の収容部１２に本体１を収容したときに本体１の側面１ｄから突出したボルト４の雄ねじを逃がす逃げ溝１４が形成されている。
【００１３】
第２のブロック１５には、例えば３つの第２の収容部１６が整列して形成されている。各第２の収容部１６の位置は、第１のブロック１１の各第１の収容部１２が形成された位置にそれぞれ対応している。第２の収容部１６は、第２のブロック１５の第１面１５ａから第２面１５ｂにかけて貫通し、第２の収容部１６の前方側は開口している。第２の収容部１６は、例えば円柱状に形成され、第１の収容部１２に収容された本体１に固定された継手５を収容することができる程度の径を有している。本実施形態に示す第１のブロック１１及び第２のブロック１５は、直方体形状に形成されているが、この形状に限定されない。また、第１の収容部１２及び第２の収容部１６の数は、本実施形態に示した３つに限定されず、第１のブロック１１及び第２のブロック１５の形状や大きさのほか、形成しようとする継手ユニットの数に応じて適宜増減させればよい。
【００１４】
次に、治具１０を用いて継手ユニットを形成する動作について説明する。まず、図２に示すように、本体１を他方の面１ｂ側から第１の収容部１２に嵌入して、ストッパ１３に他方の面１ｂが当接するまで本体１を第１の収容部１２に嵌め込んで収容する。その結果、第１の収容部１２の位置において、本体１の一方の面１ａが第１のブロック１１の第１面１１ａから露出するとともに、他方の面１ｂが第１のブロック１１の第２面１１ｂから露出した状態となる。
【００１５】
３つの第１の収容部１２に本体１をそれぞれ収容した後、図３に示すように、各本体１の一方の面１ａに継手５を取り付ける。具体的には、継手５の雄ねじ７を本体１の貫通孔２に挿入して、例えばスパナで頭部６を回すことにより、雌ねじ３に継手５の雄ねじ７を螺合させて本体１の一方の面１ａに継手５を固定する。そして、３つの本体１の一方の面１ａに継手５をそれぞれ固定する。
【００１６】
次いで、図４に示すように、第１のブロック１１の第１面１１ａに第２のブロック１５の第２面１５ｂを重ねることにより、第１の収容部１２に収容された本体１に固定された継手５を第２の収容部１６に収容する。このようにして、第１のブロック１１と第２のブロック１５とが一体となった治具１０を形成する。
【００１７】
続いて、治具１０の上下を反転させることにより、図５に示すように、第１のブロック１１を上側に位置づけるとともに、第２のブロック１５を下側に位置づけ、第１のブロック１１の第２面１１ｂを上向きにして本体１の他方の面１ｂを露出させる。その後、第１の収容部１２に収容された本体１の他方の面１ｂに継手５を取り付ける。取り付け動作は、上記同様に、継手５の雄ねじ７を本体１の貫通孔２に挿入して、例えばスパナで頭部６を回すことにより、雌ねじ３に継手５の雄ねじ７を螺合させて本体１の他方の面１ｂに継手５を固定すればよい。
【００１８】
３つの本体１の他方の面１ｂに継手５を取り付けたら、第１のブロック１１を第２のブロック１５から離間させることにより、図６に示すように、本体１の一方の面１ａ及び他方の面１ｂの両側に継手５が固定された状態の継手ユニット９が形成される。第１例では、３つの継手ユニット９が第２のブロック１５において取り外し可能な状態で残るため、例えば作業者が第２のブロック１５から継手ユニット９を取り出せばよい。こうして形成された継手ユニット９は、それぞれの継手５に配管が接続されるとともに、ボルト４によって所定の機構に取り付けられて使用される。
【００１９】
このように、本発明にかかる治具１０は、本体１の一方の面１ａと他方の面１ｂとを露出させ本体１が収容される第１の収容部１２を有する第１のブロック１１と、第１の収容部１２に収容された本体１の雌ねじ３に雄ねじ７を螺合させた状態の継手５が収容される第２の収容部１６を有する第２のブロック１５とを備え、第１のブロック１１の第１の収容部１２に収容された本体１の一方の面１ａに継手５を取り付けた後、第１のブロック１１の上に第２のブロック１５を重ねて、治具１０の上下を反転させ、第１のブロック１１の第１の収容部１２に収容された本体１の他方の面１ｂに継手５を取り付けるように構成したため、第２のブロック１５から第１のブロック１１を離間させるだけで、複数の継手ユニット９を形成することができる。これにより、作業者が本体１に触ることなく、本体１の一方の面１ａ及び他方の面１ｂに継手５を取り付けることが可能となり、容易に複数の継手ユニット９を取得することができ、作業効率が向上する。
【００２０】
２  第２の実施形態
図７に示す治具２０は、継手ユニットを形成するための治具の第２例である。治具２０は、図８に示す本体１Ａの一方の面１ａと他方の面１ｂとを露出させ本体１Ａが収容される第１の収容部２２を有する円柱形状の第１のブロック２１と、第１の収容部２２に収容された本体１Ａの雌ねじ３に雄ねじ７を螺合させた状態の図９に示す継手５Ａが収容される第２の収容部２６を有する円柱形状の第２のブロック２５とを備えており、第１のブロック２１の上に第２のブロック２５を重ねて使用される構成となっている。
【００２１】
第１のブロック２１の中央には、例えば１つの第１嵌合凹部２３が形成され、第１のブロック２１の周縁には、例えば５つの第２嵌合凹部２４が形成されている。第１嵌合凹部２３の周囲には、例えば５つの第１の収容部２２が等間隔を設けて形成されている。第１の収容部２２は、第１のブロック２１の第１面２１ａから第２面２１ｂにかけて貫通しており、少なくとも本体１Ａよりも大きい幅を有している。
【００２２】
第２のブロック２５の中央には、第１のブロック２１の第１嵌合凹部２３に嵌合するための１つの第１嵌合凸部２７が形成され、第２のブロック２５の周縁には、第１のブロック２１の第２嵌合凹部２４に嵌合するための５つの第２嵌合凸部２８が形成されている。第１嵌合凸部２７の周囲には、例えば５つの第２の収容部２６が等間隔を設けて形成されている。各第２の収容部２６の位置は、第１のブロック２１の各第１の収容部２２が形成された位置にそれぞれ対応している。第２の収容部２６は、第２のブロック２５の第１面２５ａから第２面２５ｂにかけて貫通しており、第１の収容部２２に収容された本体１Ａに固定された継手５Ａを収容することができる程度の幅を有している。第１の収容部２２及び第２の収容部２６の数は、本実施形態に示した５つに限定されず、第１のブロック２１及び第２のブロック２５の形状や大きさのほか、形成しようとする継手ユニットの数に応じて適宜増減させればよい。
【００２３】
次に、治具２０を用いて継手ユニットを形成する動作について説明する。まず、図８に示すように、本体１Ａを他方の面１ｂ側から第１の収容部２２に嵌入して、本体１Ａを第１の収容部２２に嵌め込んで収容する。その結果、第１の収容部２２の位置において、本体１Ａの一方の面１ａが第１のブロック２１の第１面２１ａから露出するとともに、他方の面１ｂが第１のブロック２１の第２面２１ｂから露出した状態となる。
【００２４】
５つの第１の収容部２２に本体１Ａをそれぞれ収容した後、図９に示すように、各本体１Ａの一方の面１ａに継手５Ａを取り付ける。具体的には、継手５Ａの雄ねじ７を本体１Ａの貫通孔２に挿入して、例えばスパナ２９で頭部６を回すことにより、雌ねじ３に継手５Ａの雄ねじ７を螺合させる。そして、５つの本体１Ａの一方の面１ａに継手５Ａを固定する。
【００２５】
次いで、図７に示した第１のブロック２１の第１面２１ａと第２のブロック２５の第１面２５ａとを対面させた状態で、第１嵌合凸部２７を第１嵌合凹部２３に嵌合させるとともに、第２嵌合凸部２８を第２嵌合凹部２４に嵌合させることにより、図１０に示すように、第１のブロック２１の第１面２１ａに第２のブロック２５の第１面２５ａを重ねる。これにより、図９に示した第１の収容部２２に収容された本体１Ａに固定された継手５Ａを第２の収容部２６に収容する。図示の例では、第２のブロック２５の第２面２５ｂが上向きとなっており、第２面２５ｂを貫通した第２の収容部２６から継手５Ａの接続口８が露出した状態となっている。このようにして、第１のブロック２１と第２のブロック２５とが一体となった治具２０を形成する。
【００２６】
続いて、治具２０の上下を反転させることにより、図１１に示すように、第１のブロック２１を上側に位置づけるとともに、第２のブロック２５を下側に位置づけ、第１のブロック２１の第２面２１ｂを上向きにして本体１Ａの他方の面１ｂを露出させる。その後、第１の収容部２２に収容された本体１Ａの他方の面１ｂに継手５Ａを取り付ける。取り付け動作は、上記同様に、継手５Ａの雄ねじ７を本体１Ａの貫通孔２に挿入して、例えばスパナ２９で頭部６を回すことにより、雌ねじ３に継手５Ａの雄ねじ７を螺合させて本体１Ａの他方の面１ｂに継手５Ａを固定すればよい。
【００２７】
５つの本体１Ａの他方の面１ｂに継手５Ａを取り付けたら、図１２に示すように、第１のブロック２１を第２のブロック２５から離間させることにより、本体１Ａの一方の面１ａ及び他方の面１ｂの両側に継手５Ａが固定された状態の継手ユニット９Ａが形成される。第２例では、５つの継手ユニット９Ａが第２のブロック２５において取り外し可能な状態で残るため、例えば作業者が第２のブロック２５から継手ユニット９Ａを取り出せばよい。こうして形成された継手ユニット９Ａは、それぞれの継手５Ａに配管が接続されるとともに、ボルト４によって所定の機構に取り付けられて使用される。このように、治具２０についても、上記の治具１０と同様に、作業者が本体１Ａに触ることなく、本体１Ａの一方の面１ａ及び他方の面１ｂに継手５Ａを取り付けることが可能となり、容易に複数の継手ユニット９Ａを取得することができ、作業効率が向上する。
【００２８】
本実施形態に示した本体１及び１Ａは、ソケット型の本体として構成したが、これに限定されるものではなく、例えばエルボ型の本体で構成してもよい。この場合、エルボ型の本体には、１つの継手を取り付ければよいため、第１のブロック１１，第１のブロック２１に本体を収容させ、継手を本体に取り付けるだけで継手ユニットを形成することができる。
【符号の説明】
【００２９】
１,１Ａ：本体  ２：貫通孔  ３：雌ねじ  ４,４Ａ：ボルト
５,５Ａ：継手  ６：頭部  ７：雄ねじ  ８：接続口  ９,９Ａ：継手ユニット      
１０：治具  １１：第１のブロック  １２：第１の収容部  １３：ストッパ
１４：逃げ溝  １５：第２のブロック  １６：第２の収容部
２０：治具  ２１：第１のブロック  ２２：第１の収容部  ２３：第１嵌合凹部
２４：第２嵌合凹部  ２５：第２のブロック  ２６：第２の収容部
２７：第１嵌合凸部  ２８：第２嵌合凸部  ２９：スパナ
【図１】
2018059570.tif 000003
【図２】
2018059570.tif 000004
【図３】
2018059570.tif 000005
【図４】
2018059570.tif 000006
【図５】
2018059570.tif 000007
【図６】
2018059570.tif 000008
【図７】
2018059570.tif 000009
【図８】
2018059570.tif 000010
【図９】
2018059570.tif 000011
【図１０】
2018059570.tif 000012
【図１１】
2018059570.tif 000013
【図１２】
2018059570.tif 000014